(57)【要約】      （修正有）【課題】レバードラグ方式の両軸受リールにおいて、スプールを自由回転状態にしたままでハンドル部材を巻上げ操作してしまうことを回避する両軸受リールを提供する。【解決手段】ハンドル部材３に、ドラグレバー６が自由回転領域Ａのときにハンドル部材３を釣り糸巻上げ方向に回転させるとドラグレバー６に当接する突起２７を設け、突起２７によりハンドル部材３の巻上げ操作に伴いドラグレバー６を自由回転領域Ａから制動力作用領域Ｂの所定位置Ｂ１まで自動的に揺動させる構成にする。【選択図】図１
0003193871.tif 000002
【実用新案登録請求の範囲】
【請求項１】
リール本体と、
釣り糸を巻上げるべく一方向にのみ回転操作されるハンドル部材と、
釣り糸が巻装されるスプールと、
該スプールを回転自在に支持するスプール軸と、
該スプール軸回りに揺動自在なドラグレバーと、
該ドラグレバーの揺動に応じて前記スプール軸を軸方向に移動させるカム機構と、
前記スプールの回転を制動する制動部を有し、該制動部の制動力を前記スプール軸の軸方向の移動に応じて変化させるドラグ機構と、
前記ハンドル部材の回転を前記ドラグ機構を介して前記スプールに伝達する回転伝達機構とを備え、
前記ドラグレバーが、ハンドル部材の回転操作方向と同方向に向けて揺動することによりスプールの自由回転を許容する自由回転領域からスプールの回転に制動力を作用させる制動力作用領域に移行するように設定された両軸受リールにおいて、
前記ハンドル部材に、該ハンドル部材の回転操作に伴い自由回転領域に位置するドラグレバーに当接して該ドラグレバーを制動力作用領域の所定位置まで揺動せしめるレバー当接部を設けると共に、ドラグレバーを所定位置まで揺動させた以降はハンドル部材の回転操作に伴いレバー当接部をドラグレバーから離間させるべく、ハンドル部材の回転中心をドラグレバーの揺動中心から偏芯させたことを特徴とする両軸受リール。
【考案の詳細な説明】
【技術分野】
【０００１】
本考案は、ドラグレバーによるスプール軸の軸方向移動に応じてスプールの制動力を変化させるドラグ機構を備えた両軸受リールに関する。
【背景技術】
【０００２】
例えばジグ（金属製の疑似餌）を使用した釣り（以下、ジギングという）が盛んである。ジギングでは、通常、大きな巻上げ力が要求されるので、スピニングリールより巻上げ力が強い両軸受リールが使われることが多い（例えば、特許文献１参照）。
【０００３】
ジギングでは、釣り糸を繰出す際には、スプールを自由回転させてジグの重さに任せて繰出す一方、沈降する途中で魚がジグに食いついたときや、ジグが海底や川底に着いたときには、スプールの繰出し方向の回転に制動力を作用させると共にハンドルを巻上げ操作してスプールを巻上げ方向に回転させる。
【先行技術文献】
【特許文献】
【０００４】
【特許文献１】特開２００４−１３５６８３号公報
【考案の概要】
【考案が解決しようとする課題】
【０００５】
両軸受リールには、大きく分けてスタードラグ方式とレバードラグ方式の２種類があるが、スタードラグ方式は、通常、ハンドル部材の回転をドラグ機構を介してスプールに伝達する回転伝達機構中にクラッチが設けられており、該クラッチを断状態にしたときには、スプールはハンドル部材からフリーになって自由回転が許容される。また、クラッチを続状態にしたときには、ハンドル部材の回転操作に伴ってスプールを釣り糸巻上げ方向に回転させることができる共に、スプールの繰出し方向の回転にはスタードラグハンドルで調整された制動力が付与されるようになっている。そして、このクラッチは、断状態にして釣り糸を繰出している状態からハンドルを巻上げ方向に操作することに連動して自動的に続状態に切り替わるように構成されている。このため、巻上げ操作に移行する際にスプールの繰出し方向の回転に制動力を付与するための切り替え操作を別途必要としないが、クラッチが設けられているため構造が複雑になる。
【０００６】
一方、レバードラグ方式の両軸受リールでは、ドラグレバーの揺動操作に応じてスプールの制動力を変化させるドラグ機構を備えており、ドラグレバーを自由回転領域（フリー位置）に位置させているときには、ドラグ機構の制動が解除されてスプールの自由回転が許容される。このものでは、スタードラグ方式のようにハンドルを巻上げ方向に操作することに連動して断状態から続状態に切り替るクラッチが設けられていないため、巻上げ操作に移行する場合には、自らがドラグレバーを自由回転領域から制動力作用領域まで揺動操作してスプールに制動力を付与する必要がある。しかしながら、うっかりしてドラグレバーを自由回転領域に位置させたままで巻上げ操作に移行したり、ドラグレバーの揺動操作に手間取ったりすると、根掛かりや魚を逃がしてしまうことがあるだけでなく、針係りした魚の強引な引きにより釣り糸が急に繰出されることに伴いスプールが急回転してスプールに巻装されている釣り糸がふける所謂バックラッシュ現象が発生して釣り糸が複雑に絡み合ってしまうなどの惧れがあり、ここに本考案の解決すべき課題がある。
【課題を解決するための手段】
【０００７】
本考案は、上記の如き実情に鑑みこれらの課題を解決することを目的として創作されたものであって、請求項１の考案は、リール本体と、釣り糸を巻上げるべく一方向にのみ回転操作されるハンドル部材と、釣り糸が巻装されるスプールと、該スプールを回転自在に支持するスプール軸と、該スプール軸回りに揺動自在なドラグレバーと、該ドラグレバーの揺動に応じて前記スプール軸を軸方向に移動させるカム機構と、前記スプールの回転を制動する制動部を有し、該制動部の制動力を前記スプール軸の軸方向の移動に応じて変化させるドラグ機構と、前記ハンドル部材の回転を前記ドラグ機構を介して前記スプールに伝達する回転伝達機構とを備え、前記ドラグレバーが、ハンドル部材の回転操作方向と同方向に向けて揺動することによりスプールの自由回転を許容する自由回転領域からスプールの回転に制動力を作用させる制動力作用領域に移行するように設定された両軸受リールにおいて、前記ハンドル部材に、該ハンドル部材の回転操作に伴い自由回転領域に位置するドラグレバーに当接して該ドラグレバーを制動力作用領域の所定位置まで揺動せしめるレバー当接部を設けると共に、ドラグレバーを所定位置まで揺動させた以降はハンドル部材の回転操作に伴いレバー当接部をドラグレバーから離間させるべく、ハンドル部材の回転中心をドラグレバーの揺動中心から偏芯させたことを特徴とする両軸受リールである。
【考案の効果】
【０００８】
請求項１の考案によれば、スプールを自由回転状態にしての釣り糸繰出しから巻上げ操作に移行する場合に、ドラグレバーの揺動操作が不要になって、素早く巻上げ操作に移行できると共に、ドラグレバーの揺動操作を忘れた場合に発生する不具合を回避することができる。
【図面の簡単な説明】
【０００９】
【図１】本考案の実施形態に係る両軸受リールの側面図である。
【図２】図１のＸ−Ｘ断面図である。
【図３】（A）〜（D）はハンドル部材の回転操作に伴うドラグレバーの揺動を示す説明図である。
【図４】第二の形態を示す両軸受リールの断面図である。
【考案を実施するための形態】
【００１０】
以下、本考案の実施の形態について、図面に基づいて説明する。図１および図２において、１はドラグレバー方式の両軸受リールであって、該両軸受リール１は、リール本体２と、釣り糸を巻上げるべく一方向にのみ回転操作されるハンドル部材３と、釣り糸が巻装されるスプール４と、スプール４を回転自在に支持するスプール軸５と、スプール軸５回りに揺動自在なドラグレバー６と、ドラグレバー６の揺動位置に応じてスプール軸５を軸方向に移動させるカム機構７と、スプール４の回転を制動する制動部８を有し、該制動部８の制動力を前記スプール軸５の軸方向の移動に応じて変化させるドラグ機構９と、ハンドル部材３の回転をドラグ機構９を介してスプール４に伝達する回転伝達機構１０とを備えて構成されている。以下、本考案に関連する部分について順次説明する。
【００１１】
スプール４は、釣り糸が巻かれる胴部４ａと、その左右両端部から外径方向に延出する円盤状のフランジ部４ｂとを一体的に備え、胴部４ａの内周側に配置される一対の軸受１１を介してスプール軸５に回転自在に支持されるが、スプール軸５の軸方向の移動に対して従動（追随して移動）するようになっている。
【００１２】
ドラグ機構９は摩擦ブレーキ方式の制動部８を有し、該制動部８は、ドラグワッシャ１２とドラグディスク１３を備えて構成されている。ドラグワッシャ１２は、スプール４の一方のフランジ部４ｂの外面側に一体回転可能に嵌合され、ドラグディスク１３は、スプール軸５に回転自在に支持されるとともに、回転伝達機構１０を介してハンドル部材３に連結されている。そして、図２の上半部に示すように、ドラグワッシャ１２とドラグディスク１３が離間している状態では、スプール４の自由回転を許容するが、図２の下半部に示すように、スプール軸５の軸方向の移動に応じて、ドラグワッシャ１２がドラグディスク１３に接触すると、その間に発生する摩擦力でスプール４の回転が制動されるようになっている。
【００１３】
回転伝達機構１０は、スプール軸５と平行状に配置され、ハンドル部材３の回転操作により回転するハンドル軸１４と、該ハンドル軸１４に一体的に設けられる大径ギヤ１５と、スプール軸５に回転自在に設けられる小径ギヤ１６とを備えて構成されている。小径ギア１６は、大径ギヤ１５と噛合するとともに、ドラグディスク１３と一体的に連結されている。ハンドル軸１４は、リール本体２にワンウェイベアリング１７を介して一方向にのみ回転自在に支持されており、これによりハンドル部材３は、釣り糸巻上げ方向の一方向（図１における時計回り方向）にのみ回転操作が許容されるようになっていると共に、該ハンドル部材３の回転がハンドル軸１４、大径ギア１５、小径ギア１６、ドラグ機構９を介してスプール４に伝達されるようになっている。
【００１４】
カム機構７は、スプール軸５の軸方向に並ぶカム１８とカムプレート１９を備えて構成されている。カム１８は、ドラグレバー６と一体的に回転する一方、カムプレート１９は、スプール軸５に回転不能に設けられている。ドラグレバー６の揺動操作に応じてカム１８が回転すると、カムプレート１９と当接するカム面が変位し、それに伴ってカムプレート１９がスプール軸５の軸方向に移動する。そして、カムプレート１９は、スプール軸５の一端部に螺着されるプリセットノブ２０にブッシュ２１を介して当接するため、カムプレート１９の移動に応じてスプール軸５が弾機２２の付勢力に抗して軸方向に移動し、該スプール軸５の軸方向の移動に従動してスプール４に嵌合されたドラグワッシャ１２が軸方向に移動することで、前述したドラグ機構９の制動力調整が行なわれるようになっている。なお、プリセットノブ２０を回し操作すると、その進退に応じてスプール軸５の軸方向の初期位置が変化し、これによりドラグレバー６を制動力作用領域Ｂの任意位置に位置させたときの制動力の大小調整ができるようになっている。
【００１５】
ドラグレバー６は、本実施の形態ではリール本体２の右側に配置されているが、スプール軸５の軸芯を揺動中心Ｃ２として揺動操作自在であり、その揺動操作範囲には、スプール４の自由回転を許容する自由回転領域Ａと、スプール４の回転にドラグ機構９の制動力を作用させる制動力作用領域Ｂとが設定される。図１に示すように、ドラグレバー６は、ハンドル部材３の回転方向と同方向（図１における時計回り方向）に向けて揺動させることで、自由回転領域Ａから制動力作用領域Ｂに移行すると共に、その揺動位置に応じてドラグ機構９の制動力を変化させるようになっている。尚、本実施形態の両軸受リール１は、ドラグレバー６の揺動位置を保持するレバー保持機構２３を備え、該機構を構成するボール２３ａと、プレート２４に形成される複数の孔２４ａとの係合により、ドラグレバー６の揺動位置を自由回転領域Ａおよび制動力作用領域Ｂで段階的に保持する。
【００１６】
ハンドル部材３は、本実施の形態ではリール本体２の右側（ドラグレバー６と同じ側）に配置されているが、基端部がハンドル軸１４の軸方向一端部に固定されたハンドルアーム２５と、該ハンドルアーム２５の先端部に取付けられたハンドルノブ２６とを備えて構成されている。そして、ハンドル部材３は、ハンドルノブ２６を把持して回転させることによりハンドル軸１４の軸芯を中心Ｃ１として回転するが、この場合に、前述したように、釣り糸巻上げ方向の一方向（図１における時計回り方向）にのみ回転操作が許容されるようになっている。
【００１７】
前記ハンドル部材３のハンドルアーム２５は、先端側半部が基端側半部よりもリール本体２に近接するよう中途部でクランク状に折曲されていると共に、ハンドルアーム２５の先端側半部には、リール本体２側に突出する突起２７（本考案のレバー当接部に相当する）が取付けられている。該突起２７は、ハンドル部材３を釣り糸巻上げ方向（時計回り方向）に回転させたときに、自由回転領域Ａのドラグレバー６に当接して該ドラグレバー６を制動力作用領域Ｂの所定位置Ｂ１まで揺動せしめるためのものであって、ハンドルアーム２５に穿設されたネジ孔２５ａに螺入されるボルト２７ａと、該ボルト２７ａを締結するナット２７ｂとを用いて形成されている。
【００１８】
ここで、ハンドル部材３の回転中心Ｃ１（ハンドル軸１４の軸芯）はドラグレバー６の揺動中心Ｃ２（スプール軸５の軸芯）から偏芯していて、ハンドル部材３の回転操作に伴う突起２７の回転軌跡Ｌが、自由回転領域Ａから制動力作用領域Ｂの所定位置Ｂ１までのドラグレバー６とのみ交差するように構成されている。これにより、図３に示すように、突起２７は、ハンドル部材３を釣り糸巻上げ方向（時計回り方向）に回転操作したときに、自由回転領域Ａのドラグレバー６に当接して該ドラグレバー６を制動力作用領域Ｂの所定位置Ｂ１まで揺動せしめ、該所定位置Ｂ１まで揺動せしめた以降はドラグレバー６から離間するようになっていると共に、続けてハンドル部材３が釣り糸巻上げ方向に回転操作されたときには突起２７が所定位置Ｂ１に位置しているドラグレバー６に干渉することなく、而して、ドラグレバー６は、ハンドル部材３を釣り糸巻上げ方向（時計回り方向）に回転操作することで自動的に自由回転領域Ａから制動力作用領域Ｂの所定位置Ｂ１まで揺動すると共に該所定位置Ｂ１に保持されるように構成されている。尚、所定位置Ｂ１におけるドラグレバー６の制動力は、プリセットノブ２０を回し操作することで大小調整することができる。また、ドラグレバー６を所定位置Ｂ１よりも制動力が大きくなる制動力作用領域Ｂに位置させる場合には、ドラグレバー６を所定位置Ｂ１から時計回り方向に揺動操作することになるが、所定位置Ｂ１よりも制動力が大きくなる制動力作用領域Ｂに位置しているドラグレバー６は突起２７の回転軌跡Ｌから外れているため、ハンドル部材３を釣り糸巻上げ方向に回転させたときに、突起２７がドラグレバー６に干渉して位置ずれしてしまう惧れはない。
【００１９】
叙述の如く構成された本実施の形態において、両軸受リール１は、リール本体２と、釣り糸を巻上げるべく一方向にのみ回転操作されるハンドル部材３と、釣り糸が巻装されるスプール４と、スプール４を回転自在に支持するスプール軸５と、スプール軸５回りに揺動自在なドラグレバー６と、ドラグレバー６の揺動に応じてスプール軸５を軸方向に移動させるカム機構７と、スプール４の回転を制動する制動部８を有し、該制動部８の制動力をスプール軸５の軸方向の移動に応じて変化させるドラグ機構９と、ハンドル部材３の回転をドラグ機構９を介してスプール４に伝達する回転伝達機構１０とを備えていると共に、前記ドラグレバー６は、ハンドル部材３の回転操作方向と同方向に向けて揺動することによりスプール４の自由回転を許容する自由回転領域Ａからスプール４の回転に制動力を作用させる制動力作用領域Ｂに移行するように設定されているが、このものにおいて、前記ハンドル部材３は、該ハンドル部材３の回転操作に伴い自由回転領域Ａに位置するドラグレバー６に当接して該ドラグレバー６を制動力作用領域Ｂの所定位置Ｂ１まで揺動せしめる突起２７が設けられていると共に、ドラグレバー６を所定位置Ｂ１まで揺動させた以降はハンドル部材３の回転操作に伴い突起２７をドラグレバー６から離間させるべく、ハンドル部材３の回転中心Ｃ１はドラグレバー６の揺動中心Ｃ２から偏芯している。
【００２０】
而して、ドラグレバー６が自由回転領域Ａに位置している状態でハンドル部材３を釣り糸巻上げ方向に回転操作すると、ハンドル部材３に設けた突起２７が自由回転領域Ａに位置するドラグレバー６に当接して該ドラグレバー６を制動力作用領域Ｂの所定位置Ｂ１まで揺動せしめることになり、この結果、スプール４を自由回転状態にしての釣り糸繰出し状態から直ちに釣り糸巻上げ操作に移行する場合に、自らがドラグレバー６を揺動操作しなくても、ハンドル部材３の巻上げ方向への回転操作に連動してドラグレバー６が自動的に自由回転領域Ａから制動力作用領域Ｂの所定位置Ｂ１に揺動変位することになる。これにより、スプール４を自由回転状態にしての釣り糸繰出しから巻上げ操作に移行する場合に、ドラグレバー６の揺動操作が不要になって、素早く巻上げ操作に移行できると共に、ドラグレバー６の揺動操作を忘れてスプール４が自由回転状態になったままにした場合に発生する惧れがある不具合、たとえば、根掛かりや魚を逃がしてしまうようなこと、バックラッシュ現象が発生して釣り糸が複雑に絡み合ってしまうようなことなどの不具合を回避することができる。
【００２１】
しかも、前記ドラグレバー６を自動的に自由回転領域Ａから制動力作用領域Ｂに変位させるための機構は、ハンドル部材３に突起２７を設けただけの簡単な構造であって、両軸受リール１の内部構造には関与していないため、実施が容易でコストも抑制できるうえ、後付が可能であるという利点もある。
【００２２】
尚、本考案は上記実施の形態に限定されないことは勿論であって、たとえば、上記実施の形態では、ハンドルアーム２５はクランク状に折曲されているが、図４に示す第二の実施の形態の如く、ハンドルアーム２５を、ハンドル軸１４に固定される基端部からハンドルノブ２６が取付けられる先端部までまっすぐに伸びたものとすることもできる。また、上記実施の形態において、突起２７は、ハンドルアーム２５に穿設されたネジ孔２５ａに螺入されるボルト２７ａを用いて構成されているが、前記第二の実施の形態に示す突起２８（レバー当接部）の如く、ハンドルアーム２５に接着あるいは溶着されるものであっても良い。
【符号の説明】
【００２３】
１    両軸受リール
２    リール本体
３    ハンドル部材
４    スプール
５    スプール軸
６    ドラグレバー
７    カム機構
８    制動部
９  ドラグ機構
１０  回転伝達機構
２７、２８  突起
【図１】
0003193871.tif 000003
【図２】
0003193871.tif 000004
【図３】
0003193871.tif 000005
【図４】
0003193871.tif 000006